【手続補正書】
【提出日】平成18年3月15日(2006.3.15)
【手続補正１】
【補正対象書類名】明細書
【補正対象項目名】特許請求の範囲
【補正方法】変更
【補正の内容】
【特許請求の範囲】
【請求項１】
複数のドレイン電極とゲート電極、および液晶層の対向側にあるコモン電極のそれぞれに対し、所定の電圧を印加して表示を実現する、アクティブマトリクス型液晶パネルに対し、該ドレイン電極へ表示データに応じた電圧レベルの階調電圧を印加する、液晶駆動装置において、
入力される電源電圧から複数レベルの基準電圧を生成する第１のラダー抵抗と、該基準電圧を安定化するボルテージフォロア回路と、該基準電圧から前記階調電圧を生成する第２のラダー抵抗を含み、
該ボルテージフォロア回路は、差動回路、第１と第２のバッファ回路、および抵抗を含み、
該第１と第２のバッファ回路の出力が、互いに該抵抗を介して接続され、かつ第１のバッファ回路の出力が差動回路の入力に接続され、第２のバッファ回路の出力が、ボルテージフォロア回路としての出力となる液晶駆動装置。
【請求項２】
請求項１の液晶駆動装置において、
前記ボルテージフォロア回路は、使用するＭＯＳトランジスタのＰチャンネルとＮチャンネル、および電源電圧の接続を入れ替えた２種類があり、基準電圧のレベルに応じて、これらを併用する液晶駆動装置。
【請求項３】
請求項１の液晶駆動装置において、
前記２種類のボルテージフォロア回路の他に、安定化容量を接続するタイプのボルテージフォロア回路を用意し、基準電圧のレベルに応じて、これらを併用する液晶駆動装置。
【請求項４】
複数のドレイン電極とゲート電極、および液晶層の対向側にあるコモン電極のそれぞれに対し、所定の電圧を印加して表示を実現する、アクティブマトリクス型液晶パネルに対し、該ドレイン電極へ表示データに応じた電圧レベルの階調電圧を印加する、液晶駆動装置において、
入力される電源電圧から複数レベルの正極性用と負極性用の基準電圧を生成する第１と第２のラダー抵抗と、該基準電圧を安定化する正極性用と負極性用のボルテージフォロア回路と、該正極性用と負極性用の基準電圧を外部から入力される交流化信号に応じて選択するスイッチと、選択された該基準電圧から前記階調電圧を生成する第３のラダー抵抗を含む液晶駆動装置。
【請求項５】
請求項４の液晶駆動装置において、
前記正極性用と負極性用のボルテージフォロア回路は、安定化容量を接続するタイプのボルテージフォロア回路である液晶駆動装置。
【請求項６】
複数のドレイン電極とゲート電極、および液晶層の対向側にあるコモン電極のそれぞれに対し、所定の電圧を印加して表示を実現する、アクティブマトリクス型液晶パネルに対し、該ドレイン電極へ表示データに応じた電圧レベルの階調電圧を印加する、液晶駆動回路において、
入力される電源電圧から複数レベルの正極性用と負極性用の基準電圧を生成する第１と第２のラダー抵抗と、該正極性用と負極性用の基準電圧を外部から入力される交流化信号に応じて選択する第１のスイッチと、選択された該基準電圧を安定化するボルテージフォロア回路と、該基準電圧から前記階調電圧を生成する第３のラダー抵抗と、該ボルテージフォロア回路の出力先と、２種類の安定化容量のどちらかを、該交流化信号に応じて選択的に接続する、第２のスイッチを具備する液晶駆動装置。
【請求項７】
請求項４〜６の液晶駆動装置において、
前記第１と第２のラダー抵抗を共通化し、外部から入力される交流化信号に応じて、その抵抗値を変化させる液晶駆動装置。
【請求項８】
複数のドレイン電極とゲート電極、および液晶層の対向側にあるコモン電極のそれぞれに対し、所定の電圧を印加して表示を実現する、アクティブマトリクス型液晶パネルに対し、該ドレイン電極へ表示データに応じた電圧レベルの階調電圧を印加する、液晶駆動装置において、
入力される電源電圧から複数レベルの基準電圧を生成する第１のラダー抵抗と、該基準電圧を安定化するボルテージフォロア回路と、該基準電圧から前記階調電圧を生成する第２のラダー抵抗を含み、
第２のラダー抵抗は、外部から入力される色数情報に応じ、その抵抗値を変化させる液晶駆動装置。
【請求項９】
請求項８の液晶駆動装置において、
第２のラダー抵抗の抵抗値は、色数が少ない場合において、より高抵抗になる液晶駆動装置。
【請求項１０】
表示データに応じた階調電圧を表示パネルへ出力するための表示駆動装置において、
複数レベルの階調電圧を生成する生成回路と、
前記生成回路からの前記複数レベルの階調電圧から、前記表示データに応じた前記階調電圧を選択する選択回路とを備え、
前記生成回路は、前記表示パネルに表示すべき色数が少ない場合に、前記複数レベルの階調電圧のうちの、最低レベルの階調電圧と最高レベルの階調電圧の２つの階調電圧以外の中間レベルの階調電圧を生成する内部回路に流れる電流を低減し、
前記選択回路は、前記生成回路からの前記最低レベルの階調電圧と最高レベルの階調電圧の２つの階調電圧から、前記表示データに応じた前記階調電圧を選択する表示駆動装置。
【請求項１１】
請求項１０の表示駆動装置において、
前記最低レベルの階調電圧と前記中レベルの階調電圧との間を分割する抵抗の抵抗値、及び前記中レベルの階調電圧と前記最高レベルの階調電圧との間を分割する抵抗の抵抗値を切り替える回路を備え、
前記切り替える回路は、前記表示パネルに表示すべき色数が少ない場合に、前記最低レベルの階調電圧と前記中レベルの階調電圧との間を分割する抵抗の抵抗値、及び前記中レベルの階調電圧と前記最高レベルの階調電圧との間を分割する抵抗の抵抗値を大きくする表示駆動装置。
【請求項１２】
請求項１１の表示駆動装置において、
前記最低レベルの階調電圧と前記中レベルの階調電圧との間を分割する抵抗は、さらに互いに並列に接続された高抵抗値の抵抗と低抵抗値の抵抗を有し、
前記中レベルの階調電圧と前記最高レベルの階調電圧との間を分割する抵抗は、さらに互いに並列に接続された高抵抗値の抵抗と低抵抗値の抵抗を有し、
前記切り替える回路は、前記表示パネルに表示すべき色数が少ない場合に、前記最低レベルの階調電圧と前記中レベルの階調電圧との間を分割する抵抗のうちの高抵抗値の抵抗を選択し、前記中レベルの階調電圧と前記最高レベルの階調電圧との間を分割する抵抗のうちの高抵抗値の抵抗を選択する表示駆動装置。
【請求項１３】
請求項１１の表示駆動装置において、
前記最低レベルの階調電圧と前記中レベルの階調電圧との間を分割する抵抗、及び前記中レベルの階調電圧と前記最高レベルの階調電圧との間を分割する抵抗は、可変抵抗であり、
前記切り替える回路は、前記表示パネルに表示すべき色数が少ない場合に、前記最低レベルの階調電圧と前記中レベルの階調電圧との間を分割する可変抵抗の抵抗値、及び前記中レベルの階調電圧と前記最高レベルの階調電圧との間を分割する可変抵抗の抵抗値を大きくする表示用駆動回路。
【請求項１４】
表示データに応じた階調電圧を表示パネルへ出力するための表示駆動装置において、
第０番目〜第６３番目の６４レベルレベルの階調電圧を生成する生成回路と、
前記生成回路からの前記６４レベルの階調電圧から、前記表示データに応じた前記階調電圧を選択する選択回路とを備え、
前記生成回路は。前記表示パネルに表示すべき色数が少ない場合に、前記複数レベルの階調電圧のうちの、第０番目の階調電圧と第６３番目の階調電圧の２つの階調電圧以外の第１番目〜第６２番目の階調電圧を生成する内部回路に流れる電流を低減し、
前記選択回路は、前記生成回路からの前記第０番目の階調電圧と第６３番目の階調電圧の２つの階調電圧から、前記表示データに応じた前記階調電圧を選択する表示駆動装置。
【請求項１５】
表示データに応じた階調電圧を表示パネルへ出力するための表示駆動装置において、
複数レベルの階調電圧を生成する生成回路と、
前記生成回路からの前記複数レベルの階調電圧から、前記表示データに応じた前記階調電圧を選択する選択回路とを備え、
前記生成回路は。前記表示パネルに表示すべき色数が少ない場合に、前記複数レベルの階調電圧のうちの、低レベルの階調電圧と高レベルの階調電圧の２つの階調電圧以外の中レベルの階調電圧を生成する内部回路に流れる電流を低減し、
前記選択回路は、前記生成回路からの前記低レベルの階調電圧と高レベルの階調電圧の２つの階調電圧から、前記表示データに応じた前記階調電圧を選択し、
前記表示パネルに表示すべき色数が少ないか否かは、当該表示駆動装置外部のＭＰＵによって判断され、
当該表示駆動装置は、前記表示パネルに表示すべき色数が少ないことを示す情報を、前記外部のＭＰＵから受け取る表示駆動装置。
【請求項１６】
表示データに応じた階調電圧を表示パネルへ出力するための表示駆動装置において、
前記表示データを外部から入力するためのシステムインターフェースと、
前記表示データを格納するためのメモリと、
複数レベルの基準電圧を抵抗によって分割して複数レベルの階調電圧を生成するための生成回路と、
前記生成回路からの前記複数レベルの階調電圧から、前記メモリからの表示データに応じた前記階調電圧を選択する選択回路と、
階調電圧特性の傾きを調整するための傾き調整レジスタと、
前記階調電圧特性の振幅を調整するための振幅調整レジスタと、
前記階調電圧特性を微調整するための微調整レジスタとを備え、
前記生成回路は、前記表示パネルに表示すべき色数が少ない場合に、前記複数レベルの階調電圧のうちの、第１のレベルの階調電圧と第２のレベルの階調電圧の２つの階調電圧以外の他のレベルの階調電圧を生成する内部回路に流れる電流を低減し、
前記選択回路は、前記生成回路からの前記第１のレベルの階調電圧と第２のレベルの階調電圧の２つの階調電圧から、前記表示データに応じた前記階調電圧を選択する表示駆動装置。
【請求項１７】
表示データに応じた階調電圧を表示パネルへ出力するための表示駆動装置において、
複数レベルの階調電圧を生成する生成回路と、
前記生成回路からの前記複数レベルの階調電圧から、前記表示データに応じた前記階調電圧を選択する選択回路とを備え、
前記生成回路は、前記表示パネルに表示すべき色数が少ない場合に、前記複数レベルの階調電圧のうちの、最低レベルの階調電圧と最高レベルの階調電圧の２つの階調電圧以外の中間レベルの階調電圧を生成する内部回路を切り離し、
前記選択回路は、前記生成回路からの前記最低レベルの階調電圧と最高レベルの階調電圧の２つの階調電圧から、前記表示データに応じた前記階調電圧を選択する表示駆動装置。
【請求項１８】
請求項１７の表示駆動装置において、
前記最低レベルの階調電圧と前記中レベルの階調電圧との間を分割する抵抗の抵抗値、及び前記中レベルの階調電圧と前記最高レベルの階調電圧との間を分割する抵抗の抵抗値を切り替える回路を備え、
前記切り替える回路は、前記表示パネルに表示すべき色数が少ない場合に、前記最低レベルの階調電圧と前記中レベルの階調電圧との間を分割する抵抗の抵抗値、及び前記中レベルの階調電圧と前記最高レベルの階調電圧との間を分割する抵抗の抵抗値を大きくする表示駆動装置。
【請求項１９】
請求項１７の表示駆動装置において、
前記最低レベルの階調電圧と前記中レベルの階調電圧との間を分割する抵抗は、さらに互いに並列に接続された高抵抗値の抵抗と低抵抗値の抵抗を有し、
前記中レベルの階調電圧と前記最高レベルの階調電圧との間を分割する抵抗は、さらに互いに並列に接続された高抵抗値の抵抗と低抵抗値の抵抗を有し、
前記切り替える回路は、前記表示パネルに表示すべき色数が少ない場合に、前記最低レベルの階調電圧と前記中レベルの階調電圧との間を分割する抵抗のうちの高抵抗値の抵抗を選択し、前記中レベルの階調電圧と前記最高レベルの階調電圧との間を分割する抵抗のうちの高抵抗値の抵抗を選択する表示駆動装置。
【請求項２０】
請求項１７の表示駆動装置において、
前記最低レベルの階調電圧と前記中レベルの階調電圧との間を分割する抵抗、及び前記中レベルの階調電圧と前記最高レベルの階調電圧との間を分割する抵抗は、可変抵抗であり、
前記切り替える回路は、前記表示パネルに表示すべき色数が少ない場合に、前記最低レベルの階調電圧と前記中レベルの階調電圧との間を分割する可変抵抗の抵抗値、及び前記中レベルの階調電圧と前記最高レベルの階調電圧との間を分割する可変抵抗の抵抗値を大きくする表示駆動装置。
【請求項２１】
表示データに応じた階調電圧を表示パネルへ出力するための表示駆動装置において、
第０番目〜第６３番目の６４レベルの階調電圧を生成する生成回路と、
前記生成回路からの前記６４レベルの階調電圧から、前記表示データに応じた前記階調電圧を選択する選択回路とを備え、
前記生成回路は。前記表示パネルに表示すべき色数が少ない場合に、前記複数レベルの階調電圧のうちの、第０番目の階調電圧と第６３番目の階調電圧の２つの階調電圧以外の第１番目〜第６２番目の階調電圧を生成する内部回路を切り離し、
前記選択回路は、前記生成回路からの前記第０番目の階調電圧と第６３番目の階調電圧の２つの階調電圧から、前記表示データに応じた前記階調電圧を選択する表示駆動装置。
【請求項２２】
表示データに応じた階調電圧を表示パネルへ出力するための表示駆動装置において、
複数レベルの階調電圧を生成する生成回路と、
前記生成回路からの前記複数レベルの階調電圧から、前記表示データに応じた前記階調電圧を選択する選択回路とを備え、
前記生成回路は。前記表示パネルに表示すべき色数が少ない場合に、前記複数レベルの階調電圧のうちの、低レベルの階調電圧と高レベルの階調電圧の２つの階調電圧以外の中レベルの階調電圧を生成する内部回路を切り離し、
前記選択回路は、前記生成回路からの前記低レベルの階調電圧と高レベルの階調電圧の２つの階調電圧から、前記表示データに応じた前記階調電圧を選択し、
前記表示パネルに表示すべき色数が少ないか否かは、当該表示駆動装置外部のＭＰＵによって判断され、
当該表示駆動装置は、前記表示パネルに表示すべき色数が少ないことを示す情報を、前記外部のＭＰＵから受け取る表示駆動装置。
【請求項２３】
表示データに応じた階調電圧を表示パネルへ出力するための表示駆動装置において、
前記表示データを外部から入力するためのシステムインターフェースと、
前記表示データを格納するためのメモリと、
複数レベルの基準電圧を抵抗によって分割して複数レベルの階調電圧を生成するための生成回路と、
前記生成回路からの前記複数レベルの階調電圧から、前記メモリからの前記表示データに応じた前記階調電圧を選択する選択回路と、
階調電圧特性の傾きを調整するための傾き調整レジスタと、
前記階調電圧特性の振幅を調整するための振幅調整レジスタと、
前記階調電圧特性を微調整するための微調整レジスタとを備え、
前記生成回路は、前記表示パネルに表示すべき色数が少ない場合に、前記複数レベルの階調電圧のうちの、第１のレベルの階調電圧と第２のレベルの階調電圧の２つの階調電圧以外の他のレベルの階調電圧を生成する内部回路を切り離し、
前記選択回路は、前記生成回路からの前記第１のレベルの階調電圧と第２のレベルの階調電圧の２つの階調電圧から、前記表示データに応じた前記階調電圧を選択する表示駆動装置。